(57)【要約】      （修正有）【課題】コンセントに連結される色々な電線をきれいに巻いて整理できる電線整理装置が備えられたコンセントカバーを提供する。【解決手段】壁面コンセント又はテーブルタップコンセントが露出されるようにコンセント溝１０２が備えられ、壁面コンセント又はテーブルタップに締結される板状のコンセントカバー１０１であって、コンセントカバーが延在された部分に電線を巻いて整理する線巻き部１１０を含む。線巻き部は、棒状の連結棒１１３と、連結棒の両側端部が垂直方向に延在された支持棒１１２と、支持棒の端部に形成されてコンセントカバーに締結される締結具１１１と、連結棒の中部分で連結棒と垂直する方向に所定個数の補助支持棒１１４が突出し、補助支持棒の端部を連結する補助連結棒１１５と、を有する。【選択図】図１
0003222596.tif 000002
【実用新案登録請求の範囲】
【請求項１】
壁面コンセント又はテーブルタップコンセントが露出されるようにコンセント溝１０２が備えられて前記壁面コンセント又はテーブルタップに締結される板状のコンセントカバー１０１及び、
前記コンセントカバー１０１が延在された部分に電線を巻いて整理する線巻き部と、を含めて構成されたことを特徴とする、
電線整理装置が備えられたコンセントカバー。
【請求項２】
前記線巻き部は、棒状の連結棒１１３と、前記連結棒１１３の両側端部が垂直方向に延在された支持棒１１２と、前記支持棒１１２の端部に形成されて前記コンセントカバー１０１に締結される締結具１１１と、前記連結棒１１３の中部分で連結棒１１３と垂直する方向に所定個数の補助支持棒１１４が突出し、前記補助支持棒１１４の端部を連結する補助連結棒１１５と、を有することを特徴とする請求項１に記載の電線整理装置が備えられたコンセントカバー。
【請求項３】
前記コンセントカバー１０１において凹状の収納部１０４が形成され、蛇腹折り可能に構成された線巻き部が前記収納部１０４に折られて収納されるように構成されたことを特徴とする請求項１に記載の電線整理装置が備えられたコンセントカバー。
【請求項４】
前記蛇腹折り可能な線巻き部は、棒状の連結棒１１３と、前記連結棒１１３の両側端部が垂直方向に延在された支持棒１１２と、回転可能に前記支持棒１１２を収納部１０４に締結するヒンジ１２１と、で構成されたことを特徴とする請求項３に記載の電線整理装置が備えられたコンセントカバー。
【請求項５】
前記ヒンジ１２１の何れか一つは、収納部１０４に締結されたボディ１２７と、前記ボディ１２７に凹状で形成されて線巻き部の支持棒１２２が挿入される回転空間１２８と、前記回転空間１２８で支持棒１２２と直交する方向に突出して一側が開放されたストッパー１２９で構成された回転固定具１２６と、で設けられることによって、線巻き部の連結棒１２３又は支持棒１２２が弾性変形し、支持棒１２２が回転空間１２８の内部でストッパー１２９の開放された部分に移動、回転して線巻き部が広がったり折れたりし、連結棒１２３又は支持棒１２２が弾性復元して支持棒１２２が回転空間１２８の内部でストッパー１２９の一側に移動して線巻き部が広がったり折れたりした状態で固定されるように構成されたことを特徴とする請求項４に記載の電線整理装置が備えられたコンセントカバー。
【請求項６】
前記蛇腹折り可能な線巻き部は、一側端が収納部１０４にヒンジ締結され、互いに所定間隔離隔された支持棒１３２と、前記支持棒１３２の他側端とヒンジ１３１で連結される棒状の連結棒１３３と、前記線巻き部が収納部から広がった状態で固定する固定装置と、を含むことを特徴とする請求項３に記載の電線整理装置が備えられたコンセントカバー。
【請求項７】
前記固定装置は、ばね１３５に弾力支持されて連結棒１３３の外部に突出した固定ボタン１３４と、一側端が前記固定ボタン１３４と締結され、中部分が連結棒１３３内部の軸１３８に締結されて軸１３８を中心に回転する連結台１３６と、前記連結台１３６の他側端に突出して何れか一つの支持棒１３２の固定溝に挿入される固定具１３７と、で構成されることによって、前記固定具１３７が支持棒１３２の固定溝に挿入された状態で線巻き部が折れずに固定し、固定ボタン１３４が押されれば固定具１３７が支持棒１３２の固定溝から抜けて線巻き部が折れるように構成されたことを特徴とする請求項６に記載の電線整理装置が備えられたコンセントカバー。
【請求項８】
壁面コンセント又はテーブルタップコンセントが露出されるようにコンセント溝１０２が備えられて前記壁面コンセント又はテーブルタップに締結される板状のコンセントカバー１０１と、
前記コンセントカバー１０１において、コの字状で枠部分に形成された収納部１０４と、前記収納部１０４に挿入される線巻き部と、を構成し、
前記線巻き部は、一側端部に支持棒１６４がヒンジ締結されて前記収納部１０４に挿入される第１の引出し棒１６１と、
前記第１の引出し棒１６１より長く成形され、一側端部に支持棒１６４がヒンジ締結されて前記収納部１０４に挿入される第２の引出し棒１６３と、
前記第１の引出し棒１６１の支持棒１６４の端部を連結し、前記第２の引出し棒１６３の支持棒１６４の端部をそれぞれ連結する連結棒１６５と、で構成されることによって、前記線巻き部がコンセントカバー１０１の収納部１０４に収納された状態で線巻き部が引き出され展開して線巻き部を形成するように構成されたことを特徴とする、
電線整理装置が備えられたコンセントカバー。
【請求項９】
前記第１の引出し棒１６１の支持棒１６４又は第２の引出し棒１６３の支持棒１６４の何れか一つの支持棒１６４には、一側端が支持棒１６４で回転可能にヒンジ締結され、他側端は隣り合う連結棒１６５に締結されることによって、線巻き部が展開された状態で固定させる固定台１６６を更に含めて構成されたことを特徴とする請求項８に記載の電線整理装置が備えられたコンセントカバー。
【請求項１０】
前記収納部１０４の端部にはストッパー１０６が形成され、第１、２の引出し棒１６１、１６３の端部にはそれぞれ係止突起１６８が形成されることによって、前記第１、２の引出し棒１６１、１６３が収納部１０４から抜けないように構成されたことを特徴とする請求項８に記載の電線整理装置が備えられたコンセントカバー。
【請求項１１】
前記第２の引出し棒１６３は、長さの調節ができるように多段に構成されることによって、折ると第１の引出し棒１６１の長さと同じになり、広げると第１の引出し棒１６１の長さより長くなるように構成されたことを特徴とする請求項８に記載の電線整理装置が備えられたコンセントカバー。
【考案の詳細な説明】
【技術分野】
【０００１】
本考案は、壁面に設けられたコンセントボックス又はテーブルタップに取り付けるコンセントカバーに関するものであって、電線整理装置を備えることによってコンセントに連結される色々な電線をきれいに巻いて整理できる電線整理装置が備えられたコンセントカバーに関するものである。
【背景技術】
【０００２】
産業の発展に伴い多様な電気装置が使われている。
【０００３】
このような電気装置は、壁面又はテーブルタップのコンセントに電気装置のプラグを差し込んで電気装置に電気を供給している。
【０００４】
多くの電気装置は、コンセントから遠く離れていてもプラグを差し込んで使えるように十分長い電線を備えているが、コンセントから近いところに電気装置を設置すればかえって長い電線が床に乱雑に散らかって汚らしく見えるという問題点がある。
【考案の概要】
【考案が解決しようとする課題】
【０００５】
本考案は、前記のような問題点を解決するために案出したものであって、長い電線をコンセントカバーに構成された電線整理具に巻いてきれいに整理できる電線整理装置が備えられたコンセントカバーを提供することが本考案の目的である。
【０００６】
また、従来壁面に設けられたコンセントを差替える必要なく従来のコンセントに手軽に取り付けて使用できるだけでなく、事務室や家庭で広く使うテーブルタップに手軽に取り付けて使用できる電線整理装置が備えられたコンセントカバーを提供することが本考案の目的である。
【課題を解決するための手段】
【０００７】
前記の目的を達成するために、本考案による電線整理装置が備えられたコンセントカバーは、壁面コンセント又はテーブルタップコンセントが露出されるようにコンセント溝が備えられて前記壁面コンセントボックス又はテーブルタップに締結される板状のコンセントカバー及び、前記コンセントカバーが延在された部分に電線を巻いて整理する線巻き部と、を含めて構成されることでテーブルタップ又は壁面コンセントに差し込まれたプラグ電線を巻いてきれいに整理するように構成される。
【０００８】
前記線巻き部は棒状の連結棒と、前記連結棒の両側端部が垂直方向に延在された支持棒と、前記支持棒の端部に形成されて前記コンセントカバーに締結される締結具と、で構成することができる。
【０００９】
この時、前記連結棒の中部分において連結棒と垂直する方向に所定個数の補助支持棒が突出され、前記補助支持棒の端部を連結する補助連結棒を更に構成することによって、電線を多様な方法で巻くことができる。
【００１０】
また、前記コンセントカバーには、凹状の収納部を形成し、蛇腹折り可能に構成された線巻き部を前記収納部に折って収納できるように構成する方が好ましい。
【００１１】
この時、前記収納部を開閉するドアを更に構成することによって、線巻き部を使わない時には線巻き部を折って収納部に収納し、またドアを閉じて外部から線巻き部が見えないように構成する方が好ましい。
【００１２】
上述した前記蛇腹折り可能な線巻き部は、棒状の連結棒と、前記連結棒の両側端部が垂直方向に延在された支持棒と、回転可能に前記支持棒を収納部に締結するヒンジと、で構成される。
【００１３】
この時、前記ヒンジのうち何れか一つのヒンジは、収納部に締結されたボディと、前記ボディに凹状で形成されて線巻き部の支持棒が挿入される回転空間と、前記回転空間において支持棒と直交する方向に突出して、一側が開放されたストッパーで構成された回転固定具で設けられることによって、線巻き部の連結棒又は支持棒が弾性変形し、支持棒が回転空間内部でストッパーの開放された部分に移動、回転して線巻き部が折りたたまれたり広がって、連結棒又は支持棒が弾性復元して支持棒が回転空間内部でストッパーの一側に移動し、線巻き部が広がったり折れたりした状態で固定されるように構成する方が好ましい。
【００１４】
そして、前記蛇腹折り可能な線巻き部は、一側が収納部にヒンジ締結されて互いに所定間隔離隔された支持棒と、前記支持棒の他側端とヒンジで連結される棒状の連結棒と、で構成することもできる。
【００１５】
この時、前記線巻き部が収納部から広がった状態で固定する固定装置を更に含めて構成することによって、線巻き部が任意に折りたたまれないように構成する方が好ましい。
【００１６】
前記のような固定装置は、ばねにより弾力支持されて連結棒の外部に突出された固定ボタンと、一側端が前記固定ボタンと締結され、中部分が連結棒内部の軸に締結されて軸を中心に回転する連結台と、前記連結台の他側端に突出されて何れか一つの支持棒の固定溝に挿入される固定具と、で構成されることによって、前記固定具が支持棒の固定溝に挿入された状態で線巻き部が折りたたまれないように固定し、固定ボタンを押すと固定具が支持棒の固定溝から抜けられて線巻き部が折りたたまれるように構成する。
【００１７】
そして、前記蛇腹折り可能な線巻き部は、両端部が向かい合う収納部の内壁に締結された軸と、互いに所定間隔離隔して前記軸と垂直する方向に突出された支持棒と、前記支持棒の端部を連結する連結棒と、で構成することもできる。
【００１８】
そして、前記蛇腹折り可能な線巻き部は「∩」状に成形されて互いに所定間隔離隔して収納部にヒンジ締結される支持棒と、前記各支持棒の端部とヒンジ締結される連結棒と、で構成することもできる。
【００１９】
本考案の他の形態では、壁面コンセント又はテーブルタップコンセントが露出されるようにコンセント溝が備えられて前記壁面コンセントボックス又はテーブルタップに締結される板状のコンセントカバーと、前記コンセントカバーにコの字状で枠部分に形成された収納部と、前記収納部に挿入される線巻き部を構成し、前記線巻き部は一側端部に支持棒がヒンジ締結されて前記収納部に挿入される第１の引出し棒と、前記第１の引出し棒より長く成形されて、一側端部に支持棒がヒンジ締結されて前記収納部に挿入される第２の引出し棒と、前記第１の引出し棒の支持棒端部を連結し、前記第２の引出し棒の支持棒端部を各々連結する連結棒と、で構成することによって、前記線巻き部がコンセントカバー収納部に収納された状態で線巻き部が引き出されて展開して線巻き部を形成するように構成することもできる。
【００２０】
この時、前記第１の引出し棒の支持棒又は第２の引出し棒の支持棒の何れか一つの支持棒には、一側端が支持棒において回転可能にヒンジ締結され、他側端は隣り合う連結棒に締結されることによって、線巻き部が展開した状態で固定させる固定台を更に含めて構成する方が好ましい。
【００２１】
また、前記収納部の端部にはストッパーが形成され、第１、２の引出し棒の端部にはそれぞれ係止突起が形成されることによって、前記第１、２の引出し棒が収納部から抜けないように構成する方が好ましい。
【００２２】
また、前記第２の引出し棒は長さ調節ができるように多段に構成することで、折ると第１の引出し棒の長さと同じになり、展開すると第１の引出し棒の長さより長くなるように構成する方が好ましい。
【００２３】
また、前記コンセントカバーには収納部の部分が一部拡張された凹状で引き出し溝を構成することによって、収納部に収納された連結棒を手でつかんで引き出すことが容易になるように構成する方が好ましい。
【考案の効果】
【００２４】
前記のように構成された本考案による電線整理装置が備えられたコンセントカバーは、壁面に設けられたコンセント又はテーブルタップに差し込まれた電線を電線整理装置に巻いてきれいに整理することができる。
【００２５】
また、壁面に設けられたコンセントやテーブルタップを差替える必要なく、既存の壁面コンセントやテーブルタップに本考案を締結して使うことができる。
【図面の簡単な説明】
【００２６】
【図１】本考案の第１の実施形態による電線整理装置が備えられたコンセントカバーを示した図面である。
【図２】本考案の第１の実施形態による電線整理装置が備えられたコンセントカバーを示した図面である。
【図３】本考案の第２の実施形態による電線整理装置が備えられたコンセントカバーを示した図面である。
【図４】本考案の第２の実施形態による電線整理装置が備えられたコンセントカバーを示した図面である。
【図５】本考案の第２の実施形態による電線整理装置が備えられたコンセントカバーを示した図面である。
【図６】本考案の第２の実施形態による電線整理装置が備えられたコンセントカバーを示した図面である。
【図７】本考案の第２の実施形態による電線整理装置が備えられたコンセントカバーを示した図面である。
【図８】本考案の第２の実施形態による電線整理装置が備えられたコンセントカバーを示した図面である。
【図９】本考案の第３の実施形態による電線整理装置が備えられたコンセントカバーを示した図面である。
【図１０】本考案の第３の実施形態による電線整理装置が備えられたコンセントカバーを示した図面である。
【図１１】本考案の第３の実施形態による電線整理装置が備えられたコンセントカバーを示した図面である。
【図１２】本考案の第３の実施形態による電線整理装置が備えられたコンセントカバーを示した図面である。
【図１３】本考案の第３の実施形態による電線整理装置が備えられたコンセントカバーを示した図面である。
【図１４】本考案の第４の実施形態による電線整理装置が備えられたコンセントカバーを示した図面である。
【図１５】本考案の第５の実施形態による電線整理装置が備えられたコンセントカバーを示した図面である。
【図１６】本考案の第５の実施形態による電線整理装置が備えられたコンセントカバーを示した図面である。
【図１７】本考案の第６の実施形態による電線整理装置が備えられたコンセントカバーを示した図面である。
【図１８】本考案の第６の実施形態による電線整理装置が備えられたコンセントカバーを示した図面である。
【図１９】本考案の第６の実施形態による電線整理装置が備えられたコンセントカバーを示した図面である。
【図２０】本考案の第６の実施形態による電線整理装置が備えられたコンセントカバーを示した図面である。
【図２１】本考案の第６の実施形態による電線整理装置が備えられたコンセントカバーを示した図面である。
【図２２】本考案の第６の実施形態による電線整理装置が備えられたコンセントカバーを示した図面である。
【図２３】本考案の第６の実施形態による電線整理装置が備えられたコンセントカバーを示した図面である。
【考案を実施するための形態】
【００２７】
以下では本考案の好ましい実施形態及び添付する図面を参照して本考案を詳細に説明する。ここで、図面の同一参照符号は同一構成要素を示すことを前提にして説明する。
【００２８】
考案の詳細な説明又は請求の範囲において何れか一つの構成要素が他の構成要素を「含む」とする時、これは特に反対される記載がない限り当該構成要素だけでからなると限定して解釈せずに、他の構成要素を更に含むことができると理解すべきである。
【００２９】
本考案によるコンセントカバーは、壁面コンセントやテーブルタップに取り付けるコンセントカバー１０１と、前記コンセントカバー１０１に孔状に成形されたコンセント溝１０２及び電線を巻いて整理する線巻き部１１０と、で構成される。
【００３０】
コンセントカバー１０１を壁面コンセント又はテーブルタップに取り付けると、コンセントカバー１０１又はテーブルタップのコンセントが前記コンセントカバー１０１のコンセント溝１０２を通して露出されるので、コンセント溝１０２を通して電気製品のコンセントを差し込むように構成される。
【００３１】
第１の実施形態
【００３２】
本考案の第１の実施形態は、図１に示された通り壁面コンセントに取り付けて使うように板状のコンセントカバー１０１が形成され、前記コンセントカバー１０１には穿孔された孔状にコンセント溝１０２が形成される。
【００３３】
そして、前記コンセントカバー１０１は側方向に延在され、その延在された部分に線巻き部１１０が構成される。
【００３４】
前記線巻き部１１０は、水平の連結棒１１３の両側端に連結棒１１３が延在されて折り曲げられた形態で支持棒１１２が形成され、前記支持棒１１２の終端にはコンセントカバー１０１と締結される締結具１１１が形成されて前記締結具１１１によってコンセントカバー１０１に締結固定される。
【００３５】
図１のようにコンセントカバー１０１に一対の線巻き部１１０が締結され、コンセントカバー１０１から所定距離離隔した各連結棒１１３に電線を巻いて整理する。
【００３６】
この時、図１のように連結棒１１３の中部分に連結棒１１３と垂直する方向に互いに所定距離離隔されるように一対の補助支持棒１１４を突出形成し、前記補助支持棒１１４の端を連結する補助連結棒１１５を形成することによって、１つの線巻き部１１０によっても電線を巻いて整理できるように構成することができる。
【００３７】
図１においては、壁面コンセントに締結して使用するように構成されたものを説明したが、図２のようにテーブルタップに締結して使用するようにテーブルタップのコンセントと対応されるようにコンセント溝１０２を形成してコンセントカバー１０１を構成することもできる。
【００３８】
第２の実施形態
【００３９】
本考案の第２の実施形態は、図３及び図４のようにコンセントカバー１０１に凹状で収納部１０４が形成され、前記収納部１０４を開閉するドア１０３が形成され、前記収納部１０４に蛇腹折り可能な線巻き部が構成される。
【００４０】
前記収納部１０４に設けられた蛇腹折り可能な線巻き部１２０は、図５のように構成される。つまり連結棒１２３の両側端が延在されて折り曲げられた支持棒１２２は、それぞれヒンジ１２１及び回転固定具１２６により収納部１０４に締結することで、線巻き部１２０を使わない時には線巻き部１２０が前記ヒンジ１２１及び回転固定具１２６を用いて折りたたみ、そしてドア１０３を閉じて収納部１０４に収納保管したり、コンセントにプラグを差し込んで電線を整理する時にはドア１０３を開けて線巻き部１２０を広げて収納部１０４から突出させた後、コンセントに差し込まれたプラグの電線を線巻き部１２０にきれいに巻いて整理するように構成される。
【００４１】
この時、前記線巻き部１２０は、上述した第１の実施形態のように連結棒１２３の中部分に補助支持棒１２４及び補助連結棒１２５を形成することができる。
【００４２】
前記のように線巻き部１２０が折りたたまれて収納部１０４に収納された状態又は線巻き部１２０が広げられた時、回転固定具１２６により線巻き部１２０が折りたたまれた状態又は広げられた状態で固定される。
【００４３】
前記回転固定具１２６は図６に示されたように、ボディ１２７の中部分に凹状で回転空間１２８が形成され、前記回転空間１２８に線巻き部１２０の支持棒１２２が挿入され、支持棒１２２の端部の軸は回転固定具１２６のボディ１２７に形成された溝に挿入されてヒンジ締結される。
【００４４】
この時、前記回転空間１２８には、支持棒１２２と垂直する方向に一側が開放されたストッパー１２９が形成される。
【００４５】
前記のように構成された回転固定具１２６により線巻き部１２０が固定される過程を説明する。
【００４６】
線巻き部１２０が折りたたまれて収納部１０４に収納された状態においては、支持棒１２２の端部が回転固定具１２６のストッパー１２９に係止されて折られた状態で固定される。
【００４７】
折られた線巻き部１２０を広げるために回転固定具１２６に締結された支持棒１２２をヒンジ１２１方向に押圧すれば金属又は合成樹脂を材質からなる連結棒１２３及び支持棒１２２が弾性変形し、支持棒１２２の端部が回転固定具１２６の回転空間１２８から移動してストッパー１２９の開放された部分に移動する。
【００４８】
この状態では線巻き部１２０の支持棒１２２が回転空間１２８の内部においてストッパー１２９を外した領域に位置するので線巻き部１２０の回転ができる。
【００４９】
そして、線巻き部１２０を広げると線巻き部１２０の軸がそれぞれ回転固定具１２６及びヒンジ１２１を中心に回転して図５のように広げられる。
【００５０】
前記のように線巻き部１２０を回転させて広げた状態で支持棒１２２を加圧する力を除去すれば、連結棒１２３及び支持棒１２２が弾性復元して支持棒１２２の端部が回転空間１２８のストッパー１２９側に移動するようになり、支持棒１２２がストッパー１２９の一側に位置してストッパー１２９により固定される。
【００５１】
前記のように線巻き部１２０が広がった状態で線巻き部１２０に電線を巻いても回転固定具１２６が線巻き部１２０を固定して任意に折りたたまれないようにする。
【００５２】
前記のように構成された本考案に第２の実施形態は図６のように壁面コンセントにプラグが差し込まれた状態で電線を線巻き部１２０に巻いてきれいに整理することができる。万一、電線が長くなければ線巻き部１２０を折ってコンセントカバー１０１の収納部１０４に収納し、そしてドア１０３を閉じて線巻き部１２０が汚らしく露出しないようにする。
【００５３】
図５及び図６においては、コンセント溝１０２の一側に延在されて線巻き部１２０及び収納部１０４が形成されると説明したが、図７のようにコンセント溝１０２の両側にコンセントカバー１０１を延在し、両側にそれぞれ線巻き部１２０及び収納部１０４を構成することもできる。
【００５４】
また、壁面コンセントだけでなく、図８のようにテーブルタップに締結されて電線を整理するように構成することもできる。
【００５５】
第３の実施形態
【００５６】
本考案の第３の実施形態においては、図９に示されたようにコンセントカバー１０１に凹状で収納部１０４が形成され、前記収納部１０４を開閉するドア１０３が形成され、前記収納部１０４に蛇腹折り可能な線巻き部が構成される。
【００５７】
前記収納部１０４に設けられて蛇腹折り可能な線巻き部１３０は、図１０のように棒状の支持棒１３２が収納部１０４に所定間隔でヒンジ締結され、前記各支持棒１３２の端は連結棒１３３とヒンジ１３１で締結されることによって、各支持棒１３２が収納部１０４に折られると各支持棒１３２の端にヒンジ締結された連結棒１３３が収納部１０４に連動して折られる。
【００５８】
この時、前記線巻き部１３０が広がった状態で任意に折られないように固定装置を構成する方が好ましい。
【００５９】
前記固定装置は図１０及び図１１に示されたように、何れか一つの支持棒１３２と連結棒１３３側の端に固定溝（図示しない）が形成され、前記固定溝が形成された支持棒１３２と接する連結棒１３３の外側に固定ボタン１３４が突出し、前記固定ボタン１３４の下端は固定ボタン１３４と垂直する方向の連結台１３６の一側端に締結される。
【００６０】
そして、前記連結台１３６の中部分は、連結棒１３３と軸１３８とでヒンジ締結され、前記連結台１３６の他側端には連結台１３６と垂直し、固定ボタン１３４と反対方向に突出し、上述した支持棒１３２の固定溝（図示しない）に挿入される固定具１３７が形成される。
【００６１】
この時、図１１のように連結台１３６を中心に固定ボタン１３４の反対側において、連結棒１３３に支持されて連結台１３６を弾力支持するようにばね１３５を設ける。前記ばね１３５は連結台１３６を中心に固定具１３７の反対側において、連結棒１３３に支持されて連結台１３６を弾力支持するように設けることもできる。
【００６２】
図１０に示された線巻き部１３０を広げた時は、図１１のように固定装置の固定具１３７がばね１３５の弾力で支持棒１３２の端に形成された固定溝（図示しない）に挿入されるので、線巻き部１３０が任意に折れずに固定される。
【００６３】
線巻き部１３０を折る時は、使用者が連結棒１３３の外側に突出した固定ボタン１３４を押せば、図１２に示されたように、連結台１３６が軸１３８を中心に回転し、固定具１３７が支持棒１３２の固定溝から抜けて線巻き部１３０の固定が解除され、この状態で線巻き部１３０を横にして折ることができる。
【００６４】
図９のように壁面コンセントだけではなく図１３のように本考案の第３の実施形態をテーブルタップに締結してテーブルタップのコンセントに差し込まれる電線を整理するように構成できる。
【００６５】
第４の実施形態
【００６６】
本考案の第４の実施形態は、図１４に示されたように、コンセントカバー１０１に凹状で収納部１０４が形成され、前記収納部１０４に蛇腹折り可能な線巻き部１４０が構成される。
【００６７】
図１４に示した本考案の第４の実施形態は、収納部１０４を開閉するドアを省略したが、ドアを設けることもできる。
【００６８】
前記収納部１０４に構成される蛇腹折り可能な線巻き部１４０は、図１４に示されたように、軸１４１が収納部１０４を横切って軸１４１の両端が収納部１０４の内壁とヒンジ締結され、前記軸１４１には軸１４１と直交する方向の所定個数の支持棒１４２が形成され、軸１４１と同一方向に前記各支持棒１４２の端を連結する連結棒１４３が形成されて線巻き部１４０が構成される。
【００６９】
前記のように構成された線巻き部１４０の支持棒１４２−支持棒１４２、連結棒１４３−連結棒１４３によりコンセントに差し込まれたプラグの電線を巻いてきれいに整理する。
【００７０】
前記線巻き部１４０を使わない時には、線巻き部１４０を折って収納部１０４に収納し、必要に応じて収納部１０４を開閉するドア（図示しない）を設けてドアで収納部１０４を閉じて外部から線巻き部１４０が見られないようにする。
【００７１】
図１４においては、コンセントカバー１０１をコンセントの下部方向に延在して線巻き部１４０を構成したが、側面方向、両側面方向、上部方向においても延在して構成することもできる。
【００７２】
また、前記第４の実施形態は壁面コンセントだけでなく、テーブルタップに締結して電線を整理するように構成することもできる。
【００７３】
第５の実施形態
【００７４】
本考案の第５の実施形態は、図１５に示されたようにコンセントカバー１０１に凹状で収納部１０４が形成され、前記収納部１０４を開閉するドア１０３が形成され、前記収納部１０４に蛇腹折り可能な線巻き部１５０が構成される。
【００７５】
前記収納部１０４に設けられる蛇腹折り可能な線巻き部１５０は、図１５に示されたように、「∩」状に成形された所定個数の支持棒１５２における下方両端が収納部１０４にヒンジ締結されて各支持棒１５２が所定間隔離隔するように設けられる。
【００７６】
そして、前記各支持棒１５２の上端は連結棒１５３にヒンジ１５１で締結されて構成される。
【００７７】
前記のように構成された第５の実施形態は、支持棒１５２を折ると各支持棒１５２と連結棒１５３がコンセントカバー１０１の収納部１０４に挿入され、ドア１０３で収納部１０４を閉じると外部から線巻き部１５０が見られないようにきれいに収納される。
【００７８】
この状態において、コンセントに差し込まれたプラグ電線を巻いて整理する時は、ドア１０３を開けて連結棒１５３又は支持棒１５２を引っ張ると、線巻き部１５０が収納部１０４から引き出されて広がり、図１６のように広がった線巻き部１５０に電線を巻いてきれいに整理する。
【００７９】
図１５及び図１６においては、テーブルタップに締結されるコンセントカバー１０１を説明したが、コンセントカバー１０１が壁面コンセントに締結されて電線を整理するように構成することもできる。
【００８０】
第６の実施形態
【００８１】
上述した第１の実施形態乃至第５の実施形態においては、コンセントカバー１０１がコンセントの一側、両側、又は、上部、下部に延在され、延在された部分に線巻き部が構成されたものである一方、第６の実施形態においては図１７のようにコンセントから一側、両側、又は、上部側、下部側に延在されずにコンセントカバー１０１に線巻き部１６０が構成される。
【００８２】
本考案の第６の実施形態においては、図１８に示されたように、コンセントカバー１０１の枠表面にコの字状の収納部１０４が形成され、前記収納部１０４に線巻き部１６０が収納され、収納部１０４に収納された線巻き部１６０は、図１９のようにコンセントカバー１０１の一側に引き出されて展開して電線を巻くことができる線巻き部１６０が構成される。
【００８３】
上述した通り、線巻き部１６０は、コンセントカバー１０１の収納部１０４に収納されてから引き出されて展開するように構成されるが、前記線巻き部１６０は、図１８及び図１９に示されたようにコの字状の収納部の１０４上、下部側面に挿入される一対の第１の引出し棒１６１が形成され、前記各第１の引出し棒１６１の端には支持棒１６４がヒンジ締結され、前記各支持棒１６４の端を連結する連結棒１６５が形成される。
【００８４】
そして、前記第１の引出し棒１６１と共にコの字状の収納部１０４の上、下部側面に挿入される一対の第２の引出し棒１６３が形成され、前記第２の引出し棒１６３の端には支持棒１６４がヒンジ締結され、前記第２の引出し棒１６３の端に形成された支持棒１６４の端を連結する連結棒１６５が形成される。
【００８５】
前記第２の引出し棒１６３は、第１の引出し棒１６１より長く形成されることによって、収納部１０４から第１の引出し棒１６１及び第２の引出し棒１６３を引き出せば、図１９のように第１の引出し棒１６１より第２の引出し棒１６３がさらに長く引き出される。
【００８６】
この時、前記第２の引出し棒１６３は多段に構成されて長さを延在可能な構造で形成することによって、第２の引出し棒１６３を折ると第１の引出し棒１６１の長さと同じになり、第２の引出し棒１６３を広げると図１９のように第１の引出し棒１６１の長さより長く引き出されるように構成する方が好ましい。
【００８７】
図１９のように構成された線巻き部１６０の第１、２の引出し棒１６１、１６３の端にはそれぞれの支持棒１６４がヒンジ締結され、第１の引出し棒１６１にヒンジ締結された各支持棒１６４の端は連結棒１６５の両端と締結される。
【００８８】
同様に、第２の引出し棒１６３にヒンジ締結された各支持棒１６４の端は連結棒１６５の両端が締結される。
【００８９】
前記のように構成された線巻き部１６０は、第１、２の引出し棒１６１、１６３をコンセントカバー１０１の収納部１０４に挿入した状態で、ヒンジ１６２を中心に各支持棒１６４及び連結棒１６５を回転させてコンセントカバー１０１に形成された収納部１０４に挿入することによって、線巻き部１６０がコンセントカバー１０１に収納される。
【００９０】
この時、図１８に示されたように、第１、２の引出し棒１６１、１６３が出入りする収納部１０４の端にはストッパー１０６が形成され、第１、２の引出し棒１６１、１６３の端にはそれぞれ係止突起１６８が形成されることによって、収納部１０４において第１、２の引出し棒１６１、１６３を引き出す時、第１、２の引出し棒１６１、１６３の係止突起１６８が収納部１０４のストッパー１０６に係止されて第１、２の引出し棒１６１、１６３が収納部１０４から完全に抜けないように構成する方が好ましい。
【００９１】
コンセント差し込まれたプラグ電線を整理するために線巻き部１６０を展開する時には、収納部１０４に収納された第１、２の引出し棒１６１、１６３の連結棒１６５を収納部１０４から引っ張って引き出し、連結棒１６５をコンセントカバー１０１側方向に引っ張ると第１、２の引出し棒１６１、１６３が収納部１０４から引き出される。
【００９２】
この時、図１９に示されたように、コンセントカバー１０１において連結棒１６５が収納される収納部１０４部分に前記収納部１０４が拡張された形態で引き出し溝１０５を構成することによって、使用者が前記引き出し溝１０５に指を入れて簡単に連結棒１６５を引っ張って引き出せるように構成する方が好ましい。
【００９３】
前記のように第１、２の引出し棒１６１、１６３が収納部１０４から引き出されるものの相対的に長さが短い第１の引出し棒１６１は第１の引出し棒１６１の係止突起１６８がストッパー１０６に係止されて引き出しが中断され、第２の引出し棒１６３は続いて引き出され、同様に第２の引出し棒１６３の係止突起１６８がストッパー１０６に係止されて引き出しが中断される。
【００９４】
図１９のように第１の引出し棒１６１の支持棒１６４と第２の引出し棒１６３の支持棒１６４が所定間隔離隔された後、第１の引出し棒１６１の連結棒１６５の端にヒンジ締結された固定台１６６を回転させて第２の引出し棒１６３の連結棒１６５に締結固定することによって、第１の引出し棒１６１及び第２の引出し棒１６３の支持棒１６４が所定間隔離隔されたまま維持し、第１、２の引出し棒１６１、１６３の支持棒１６４が回転して折れずに固定して図２０のように線巻き部１６０を形成する。
【００９５】
前記のように構成された線巻き部１６０を用いて図２１のようにコンセントに差し込まれたプラグ電線を線巻き部１６０に巻いてきれいに整理する。
【００９６】
図２１においては、線巻き部１６０がコンセントカバー１０１の側方向に延在されるように構成したが、図２２のようにコンセントカバー１０１の上向又は下向に延在されるように構成することもでき、図２３のようにコンセントカバー１０１の両側方向に線巻き部１６０が延在されるように構成することもできる。
【００９７】
以上、上述した実施形態を通じて本考案の技術的思想を説明した。
【００９８】
本考案が属する技術分野における通常の知識を有する者が本考案の記載事項から上述した本実施形態を多様に変形したり変更できることは自明である。
【００９９】
また、たとえ明らかに図示されたり説明されなくても本考案が属する技術分野における通常の知識を有する者が本考案の記載事項から本考案による技術的思想を含む多様な形態の変形ができるとことは自明であり、これは依然として本考案の権利範囲に属する。
【０１００】
添付する図面を参照して説明された前記の実施形態は、本考案を説明するための目的で記述されたものであり、本考案の権利範囲はこのような実施形態に限定されない。
【符号の説明】
【０１０１】
１０１  コンセントカバー
１０２  コンセント溝
１０３  ドア
１０４  収納部
１０５  引き出し溝
１０６  ストッパー
１１０  線巻き部
１１１  締結具
１１２  支持棒
１１３  連結棒
１１４  補助支持棒
１１５  補助連結棒
１２０  線巻き部
１２１  ヒンジ
１２２  支持棒
１２３  連結棒
１２４  補助支持棒
１２５  補助連結棒
１２６  回転固定具
１２７  ボディ
１２８  回転空間
１２９  ストッパー
１３０  線巻き部
１３１  ヒンジ
１３２  支持棒
１３３  連結棒
１３４  固定ボタン
１３５  ばね
１３６  連結台
１３７  固定具
１３８  軸
１４０  線巻き部
１４１  軸
１４２  支持棒
１４３  連結棒
１５０  線巻き部
１５１  ヒンジ
１５２  支持棒
１５３  連結棒
１６０  線巻き部
１６１  第１の引出し棒
１６２  ヒンジ
１６３  第２の引出し棒
１６４  支持棒
１６５  連結棒
１６６  固定台
１６７  係止具
１６８  係止突起
【図１】
0003222596.tif 000003
【図２】
0003222596.tif 000004
【図３】
0003222596.tif 000005
【図４】
0003222596.tif 000006
【図５】
0003222596.tif 000007
【図６】
0003222596.tif 000008
【図７】
0003222596.tif 000009
【図８】
0003222596.tif 000010
【図９】
0003222596.tif 000011
【図１０】
0003222596.tif 000012
【図１１】
0003222596.tif 000013
【図１２】
0003222596.tif 000014
【図１３】
0003222596.tif 000015
【図１４】
0003222596.tif 000016
【図１５】
0003222596.tif 000017
【図１６】
0003222596.tif 000018
【図１７】
0003222596.tif 000019
【図１８】
0003222596.tif 000020
【図１９】
0003222596.tif 000021
【図２０】
0003222596.tif 000022
【図２１】
0003222596.tif 000023
【図２２】
0003222596.tif 000024
【図２３】
0003222596.tif 000025